(57)【特許請求の範囲】
【請求項１】
釣り用リールのハンドル軸の先端に回転不能に装着されるハンドル組立体であって、
前記ハンドル軸の先端に回転不能に装着されるクランクアームと、
前記クランクアームの先端に前記ハンドル軸に沿った第１軸Ｘ回りに回転自在に装着され、前記第１軸Ｘと交差する第２軸Ｙに沿って延びかつ前記両軸Ｘ，Ｙと交差する第３軸Ｚ方向及び前記第２軸Ｙ方向の外側面がともに凸に湾曲した３次元曲面形状であり、前記外側面の回転軸芯に開口が形成されたハンドル把手と、
前記開口を覆いかつ前記外側面と実質的に一致する３次元曲面形状の露出面を有する蓋部材と、
前記ハンドル把手を前記クランクアームに回転自在に装着するための回転支持部と、を備え、
前記ハンドル把手の前記３次元曲面形状は、中心部から前記第２軸Ｙ両端にいくに従い前記第２軸Ｙからの半径が小さくなり、前記中心部から前記クランクアームから離れる方向の半径Ａが前記クランクアームに近づく方向の半径Ｂより大きく、かつ前記第３軸Ｚ方向の半径Ｃが前記クランクアームに近づく方向の半径Ｂより大きいような形状である、釣り用リールのハンドル組立体。
【請求項２】
前記蓋部材の露出面は、前記外側面から滑らかに突出している、請求項１に記載の釣り用リールのハンドル組立体。
【請求項３】
前記蓋部材は、前記露出面の裏側に設けられた取付部をさらに有する、請求項１又は２に記載の釣り用リールのハンドル組立体。
【請求項４】
前記取付部は略円筒状であり、前記開口に嵌合して取り付けられる、請求項３に記載の釣り用リールのハンドル組立体。
【請求項５】
前記露出面は前記取付部より広い面積を有する、請求項３又は４に記載の釣り用リールのハンドル組立体。
【発明の詳細な説明】
【０００１】
【発明の属する技術分野】
本発明は、ハンドル組立体、特に、釣り用リールのハンドル軸の先端に回転不能に装着されるハンドル組立体に関する。
【０００２】
【従来の技術】
スピニングリールや両軸受リールや片軸受リール等の釣り用リールのハンドル軸の先端には、ハンドル組立体が固定されている。この種の釣り用リールのハンドル組立体として、いわゆるＴ字型のものが知られている。このハンドル組立体は、ハンドル軸の先端に固定されたクランクアームと、クランクアームの先端に固定された把手軸と、把手軸に回転自在に装着されたハンドル把手とを有している。ハンドル把手は、把手軸に回転自在に支持された筒状の支持軸と、支持軸にＴ字型に固定された丸棒状の把手部とを有している。把手部の外側面には、ハンドル把手を把手軸に着脱するための開口が形成されており、この開口は外側に円板状の蓋部を有する円筒形状のキャップ（蓋部材の一例）により塞がれている。把手軸は、ハンドル軸と平行に配置されており、支持軸は把手軸の外周側に配置されている。
【０００３】
このような形態のハンドル組立体を装着した釣り用リールを使用して船からバーチカルジギングと呼ばれる釣りを行うことがある。バーチカルジギングは、ジグと呼ばれる重いルアーを高速でほぼ垂直に巻き上げる釣法である。このバーチカルジギングを行う場合、たとえば、左の脇に釣り竿のグリップ部を挟み、左手で釣り竿とリールとを保持し、左手で釣り竿をしゃくりつつ右手で把手部を握ってハンドル組立体を高速で回すポンピング動作を繰り返す。
【０００４】
【発明が解決しようとする課題】
バーチカルジギングでは、ポンピング動作を高速で繰り返し行う。このため、把手部の形状は、力を入れてハンドル組立体を回転させることができ、かつ高速回転させやすい形状である必要がある。しかも、力を入れて高速で巻き上げる動作を終日繰り返すため、把手部を握る手が疲れにくいような形状にする必要がある。
【０００５】
しかし、前記従来のＴ字型のハンドル組立体では、把手部が丸棒状であるため、手で握ったときに把手部と掌との間に隙間が空き、強い力でしっかりと把手部を握らないと力を入れてハンドル組立体を回転させることができない。このような強い力で把手部を握ると、手首の関節にも力が入りハンドル組立体を高速回転させにくい。したがって、把手部を握って高速で長時間巻き上げ動作を繰り返すと手が疲れやすい。
【０００６】
そこで、ハンドル把手の外側面を掌に沿うような３次元曲面で構成したハンドル把手が提案されている。このような３次元曲面を有するハンドル把手の開口に前記従来のキャップを装着すると、キャップの縁、又は開口の縁のいずれかと把手の３次元曲面との間に段差が生じ、この段差が掌に強く圧接して違和感を生じさせる。また、段差が開口部の比較的小径部分に現れるため、掌に加わる段差からの圧力も大きくなり、不快感を与える場合がある。
【０００７】
本発明の課題は、外側面が３次元曲面のハンドル把手を有するハンドル組立体において、ハンドル把手を握ったときに違和感が生じにくいようにすることにある。
【０００８】
【課題を解決するための手段】
発明１に係る釣り用リールのハンドル組立体は、釣り用リールのハンドル軸の先端に回転不能に装着される組立体であって、クランクアームと、ハンドル把手と、蓋部材と、回転支持部とを有している。クランクアームは、ハンドル軸の先端に回転不能に装着されるアームである。ハンドル把手は、クランクアームの先端にハンドル軸に沿った第１軸Ｘ回りに回転自在に装着され、第１軸Ｘと交差する第２軸Ｙに沿って延びかつ両軸Ｘ，Ｙと交差する第３軸Ｚ方向及び第２軸Ｙ方向の外側面がともに凸に湾曲した３次元曲面形状であり、外側面の回転軸芯に開口が形成された把手である。蓋部材は、開口を覆いかつ外側面と実質的に一致する３次元曲面形状の露出面を有する部材である。回転支持部は、ハンドル把手をクランクアームに回転自在に装着するためのものである。ハンドル把手の３次元曲面形状は、中心部から第２軸Ｙ両端にいくに従い第２軸Ｙからの半径が小さくなり、中心部からクランクアームから離れる方向の半径Ａがクランクアームに近づく方向の半径Ｂより大きく、かつ第３軸Ｚ方向の半径がクランクアームに近づく方向の半径Ｂより大きいような形状である。
【０００９】
このハンドル組立体では、外側面が３次元曲面で構成されたハンドル把手の開口が外側面と実質的に一致する３次元曲面形状の露出面を有する蓋部材で覆われている。このため、ハンドル把手を掌で握ったときに蓋部材との間に隙間が小さくなり、ハンドル把手を握ったときに違和感が生じにくくなる。
【００１０】
発明２に係る釣り用リールのハンドル組立体は、発明１に記載の組立体において、蓋部材の露出面は、外側面から滑らかに突出している。この場合には、開口の縁部にバリやエッジ等のわずかな突出部分が発生していても、掌に突出部分が直接当たりにくくなり、ハンドル把手を握ったときに違和感がより生じにくくなる。
【００１１】
発明３に係る釣り用リールのハンドル組立体は、発明１又は２に記載の組立体において、蓋部材は、露出面の裏側に設けられた取付部をさらに有する。この場合には、露出面側に取付のための凹凸が現れないため、ハンドル把手を握ったときに違和感がより生じにくくなる。
【００１２】
発明４に係る釣り用リールのハンドル組立体は、発明３に記載の組立体において、取付部は略円筒状であり、開口に嵌合して取り付けられる。この場合には、蓋部材を嵌合により取り付けているので、蓋部材の取付が容易になる。
【００１３】
発明５に係る釣り用リールのハンドル組立体は、発明３又は４に記載の組立体において、露出面は取付部より広い面積を有する。この場合には、段差があったとしても露出面の比較的大面積の部分に現れるため、掌に加わる段差からの圧力が分散されて小さくなり、不快感を与えることが少ない。
【００１４】
【発明の実施の形態】
図１において、本発明の一実施形態を採用した両軸受リールは、たとえば、５号の釣り糸を３００ｍ程度巻き付け可能な中型の丸型リールである。丸型リールは、リール本体１と、リール本体１の側方に配置されたスプール回転用のハンドル組立体２と、ハンドル組立体２のリール本体１側に配置されたスタードラグ３とを備えている。なお、この両軸受リールは、レベルワインド機構は有していない。
【００１５】
リール本体１には、スプール１５が回転自在に装着されている。リール本体１は、竿取付脚４を介して釣り竿ＲＤに装着され得る。リール本体１は、図２に示すように、所定の間隔をあけて配置された左右１対の側板１０，１１と側板１０，１１を連結する複数の支持部材１２とを有するフレーム５と、フレーム５の両側方に装着された第１カバー１３及び第２カバー１４と、第２カバー１４に装着された機構装着板１６とを有している。機構装着板１６は側板１１に接触して配置され、機構装着板１６と第２カバー１４との間には、後述する各種機構を収納するための空間が形成されている。
【００１６】
フレーム５はダイキャスト成形により得られ、第２側カバー１４は、金属薄板をプレス成形して得られる。１対の側板１０，１１及び第１カバー１３は、それぞれ側面から見て円形をなしており、外周面はたとえば旋盤等を用いて機械加工されている。第２カバー１４及び機構装着板１５は、図２及び図３に示すように、側面から見て円形の一部が径方向に突出した形状である。第２側カバー１４は、ハンドル軸３０（後述）の装着部分を中心に軸方向外方にも膨出している。
【００１７】
支持部材１２は、両側板１０，１１の外周に沿う形状で両側板１０，１１と一体で形成された板状の部材であり、たとえばリール本体１の後部と下部と上部との３か所で１対の側板１０，１１を連結している。このように側板１０，１１と複数の支持部材１２とを一体で形成することで、リール本体１に大きな荷重が作用しても撓み等の変形が生じがたく、巻上げ効率の低下が抑制される。この支持部材１２の外周部と側板１０，１１とは一体で、第１カバー１３と同様に機械加工されている。
【００１８】
下部の支持部材１２には竿取付脚４が固定されている。竿取付脚４は、フレーム５の側板１０，１１間の中心位置Ｆに沿って配置されている。この中心位置Ｆは、スプール１５の糸巻取部の中心位置でもある。後部の支持部材１２には、リールを釣り竿とともに保持するための合成樹脂製のサムレスト１７が装着されている。
【００１９】
サムレスト１７は、支持部材１２の上部と後部とに接するように形成され、かつ後部が側板１０，１１から径方向外方、つまり後方に突出している。サムレスト１７の上面後部は、下方に凸に湾曲しながら傾斜している。また、サムレスト１７の上面後部の左端及び右端は、後方への突出量が左側にいくにつれて徐々に減少している。
【００２０】
このような形状のサムレスト１７を設け、このサムレスト１７にたとえば左手の親指を置いて他の指で釣り竿ＲＤをつかみ釣り竿ＲＤとともにリールを握ることで、バーチカルジギング時等に釣り竿ＲＤをリールとともに確実に保持できる。
【００２１】
ハンドル組立体２は、図１〜図３に示すように、ハンドル軸３０の先端に回転不能に装着されたクランクアーム６と、クランクアーム６の一端にクランクアーム６の一端部と直交する第１軸Ｘ回りに回転自在に装着されたハンドル把手７と、ハンドル把手７をクランクアーム６に回転自在に装着するための回転支持部８とを有している。ハンドル組立体２において、クランクアーム６のハンドル軸３０装着部分が回転支持部８装着部分よりリール本体１から離反している。つまり、ハンドル把手７の基端部の回転平面がクランクアーム６のハンドル軸３０への固定部分の回転平面よりリール本体１側に接近している。
【００２２】
クランクアーム６は、ハンドル軸３０の径方向に延びる平板状の金属製の部材である。クランクアーム６は、図２に示すように、ハンドル軸３０の先端に形成された面取り部３０ａに回転不能に係止されており、固定ナット３０ｂによりハンドル軸３０に着脱自在に固定されている。クランクアーム６は、固定部分６ａからハンドル把手７の基端部に向う途中の第１位置６ｂでリール本体１に近づく方向に屈曲している。この第１位置６ｂでの屈曲角度α（図４）は、たとえば１５０度である。この屈曲角度は９０度以上であるのが好ましい。屈曲角度αが９０度未満になると、屈曲による加工硬化等の影響により第１位置６ｂで強度が低下するおそれがある。また、第１位置６ｂとハンドル把手７の基端部との距離はたとえば４０ｍｍである。この距離は３０ｍｍ以上であるのが好ましい。距離が３０ｍｍ未満になると、リール本体１に近づく側に屈曲させたクランクアーム６の第１位置６ｂでハンドル把手７を握った手指が干渉するおそれがある。また、クランクアーム６は、第１位置６ｂからハンドル把手７の基端部に向う途中の第２位置６ｃで第１位置６ｂと逆方向に屈曲している。この第２位置６ｃでの屈曲角度β（図４）は第１位置での屈曲角度と同一である。このため、クランクアーム６の第１位置６ｂ間での部分と第２位置６ｃから先端部までの部分とが平行に配置される。また、固定部分６ａの回転平面とハンドル把手７基端部の回転平面との軸方向距離が固定部分６ａでのクランクアーム６の軸方向厚さより大きくなる。
【００２３】
ハンドル把手７は、図３〜図５に示すように、回転支持部８に装着された発泡合成樹脂製の支持部５７と、支持部５７と一体で形成されハンドル軸と直交する（クランクアーム６と平行な）第２軸Ｙ方向に沿って両方向に延びる把手部５８と、支持部５７及び把手部５８を覆うカバー部５９とを有している。ハンドル把手７の中心部には、回転支持部８を配置するための貫通孔５４が支持部５７と把手部５８とを貫通して形成されている。貫通孔５４の開口５４ａは、合成樹脂製のキャップ６０により塞がれている。支持部５７は、基端部から連続して全体長さの０％〜７０％を占める円筒部５７ａと、円筒部５７ａから徐々に拡径して把手部５８に連続する拡径部５７ｂとを有している。把手部５８は、図５に示すように、第２軸Ｙに交差する断面が略円形の部材である。
【００２４】
カバー部５９は、たとえば、アクティマー（商標）等の軟質の弾性体製であり、ハンドル把手７と一体で二重成形されている。カバー部５９は、支持部５７及び把手部５８のほぼ全周を覆っている。このようなカバー部５９を設けると、軟質の弾性体でハンドル把手７が覆われているので、滑りにくくなり握った時の感触がより良好になるとともに、より強い力で握りやすくより疲れにくくなる。
【００２５】
ハンドル把手７の略円形断面は、図４に示すように、中心部から第２軸Ｙ両端にいくに従い第２軸Ｙからの半径が小さくなり、図５に示すように、クランクアーム６から離れる方向の半径Ａがクランクアーム６に近づく方向の半径Ｂより大きく、かつ第１軸Ｘ及び第２軸Ｙと交差する第３軸Ｚ方向の半径Ｃが半径Ｂより大きいような略円形断面形状である。また、ハンドル把手７の外側面の輪郭は、図２に示すように、第１軸Ｘ上を中心とする半径Ｒの円弧形状である。この結果、ハンドル把手７の外側面は第２軸及び第３軸方向に凸に湾曲した３次元曲面で構成される。
【００２６】
さらに、図３に示すように、ハンドル把手７の第２軸Ｙ方向の長さＬは、４０ｍｍ〜１００ｍｍより好ましくは５０ｍｍ〜８０ｍｍ程度が望ましい。このような範囲に長さＬを設定すると、標準的な人間の掌の幅に合致し、力を無駄なく把手部に伝達できる。また、図５に示すように、ハンドル把手７の把手部分での半径Ｃの２倍の値は、第２軸Ｙ方向長さＬの５０％〜９０％であり半径Ａと半径Ｂとを加算した値も、第２軸Ｙ方向長さＬの５０％〜９０％である。
【００２７】
図２に示すように第２軸Ｙと中心位置Ｆとの距離Ｄは、１００ｍｍ以下である。この範囲は７０〜１００ｍｍの範囲が好ましい。このことと、ハンドル把手７の基端部の回転平面がクランクアーム６のハンドル軸３０への固定部分の回転平面よりリール本体１側に接近していることとにより、クランクアーム６においてハンドル把手７と釣り竿ＲＤとの距離が従来に比べて飛躍的に近くなり、ハンドル把手７を回して釣り糸を巻き上げたときの釣り竿ＲＤを回す方向のトルクが小さくなり、ハンドル巻き上げ効率の低下を効果的に抑えることができる。
【００２８】
キャップ６０は、カバー部５９からわずかに（たとえば、０．４ｍｍ程度）突出して設けられた蓋部６０ａと、貫通孔５４にはめ込まれて係止され蓋部６０ａと一体で形成された取付部６０ｂとを有している。蓋部６０ａは、図３に示すように、横から見て長円形をなしており、ハンドル把手７の先端部の３次元曲面で構成された外側面（カバー部５９の表面）と実質的に一致する３次元曲面形状の露出面を有している。蓋部６０ａの露出面には、たとえば、リールの型番や製造者のロゴなどが記載されており、キャップ６０は、リールの銘板としての機能も有している。取付部６０ｂは、蓋部６０ａの露出面と逆側の面の略中心位置に設けられ開口５４ａに嵌合する筒状の部材である。
【００２９】
このように、外側面が３次元曲面で構成されたハンドル把手７の開口５４ａが外側面と実質的に一致する３次元曲面形状の露出面を有するキャップ６０で覆われている。このため、ハンドル把手７を掌で握ったときにキャップ６０との間に隙間が小さくなり、ハンドル把手７を握ったときに違和感が生じにくくなる。このように構成されたハンドル把手７では、ハンドル把手７の把手部分の断面形状を、外側（第１軸Ｘのクランクアーム６から離れる方向及びそれと交差する第３軸Ｚ方向）の曲率半径Ａ，Ｃが内側（第１軸のクランクアームに近づく方向）の曲率半径Ｂより大きく、かつ第２軸Ｙの両端側が中心部より細くなるような形状にして外側面を３次元曲面形状にしたので、ハンドル把手７の掌に接触する部分が握った時の掌に沿うような形状になり軽くハンドル把手７を握っても力を入れてハンドル組立体２を高速回転させることができ、しかも長時間繰り返してハンドル組立体２を高速回転させても疲れにくくなる。また、キャップ７部分も３次元曲面形状にしたので、ハンドル把手７との違和感も減少する。
【００３０】
また、ハンドル把手７の輪郭が半径Ｒの円弧状であるので、ハンドル把手７が掌によりなじみやすくなる。さらに、把手部分の半径Ｃの２倍の値は、把手部分の第２軸Ｙ方向長さＬの５０％〜９０％であり、半径Ａと半径Ｂとを加算した値も、第２軸Ｙ方向長さＬの５０％〜９０％であるので、把手部分の第１軸Ｘ方向及び第３軸Ｚ方向の直径が大きくなり、全体に丸みを帯びた形状になり、把手部分を瞬時に握りやすい。
【００３１】
また、支持部５７は、基端部から連続して全体長さの０％〜７０％を占める円筒部５７ａと、円筒部５７ａから徐々に拡径して把手部５８に連続する拡径部５７ｂとを有している。このため、支持部５７が円筒部５７ａから拡径部５７ｂを経て把手部５８に滑らかに連続し、把手部５８を握ったときに把手部５８と支持部５７との境界がなくなり、どこで握っても握ったときの感触が良好である。
【００３２】
回転支持部８は、クランクアーム６の先端に基端部が固定され第１軸Ｘ方向に延びる把手軸６１と、把手軸６１の先端と把手部５８の内部との間に配置された第１軸受６２と、把手軸６１の基端側と支持部５７の基端との間に配置された第２軸受６３とを有している。両軸受６２，６３は、たとえば転がり軸受である。把手軸６１の基端部は、クランクアーム６の先端部にかしめ固定されている。把手軸６１の先端には、取付ボルト６４がねじ込まれており、この取付ボルト６４により軸受６２が把手軸６１に固定されている。またこの軸受６２を把手軸６１に固定することでハンドル把手７が把手軸６１に着脱自在に装着されている。この回転支持部８では、２つの軸受６２，６３よってハンドル把手７が支持されるので、ハンドル把手７でハンドル軸３０を高速回転させても、ハンドル把手７が滑らかに回転し、高速巻取が容易になる
スプール１５は、図２に示すように、１対の側板１０，１１間に回転自在に配置されている。スプール１５は、糸巻胴部（糸巻取部）１５ａと、糸巻胴部１５ａの両端に一体で形成されたフランジ部１５ｂとを有している。スプール１５の中心にはスプール軸２５が貫通して固定されている。スプール軸２５は第１カバー１３及び機構装着板１６に軸受２６ａ，２６ｂを介して回転自在に支持されている。
【００３３】
機構装着板１６と第２カバー１４の間の空間には、ハンドル組立体２からのトルクをスプール１５に伝えるための回転伝達機構２０と、回転伝達機構２０内に設けられたクラッチ機構２１と、クラッチ機構２１をオンオフ操作するためのクラッチ操作機構２２とが配置されている。
【００３４】
回転伝達機構２０は、スプール１５からハンドル組立体２側にトルクが逆に伝達された場合のトルクを規制するための回転制御機構２３を含んでいる。また、側板１１の中心部には糸繰り出し方向に自由回転するスプール１５を制動するための遠心ブレーキ機構２４が配置されている。側板１０の外側で第１カバー１３内には、スプール１５回転時に発音させる発音機構や根がかりしたとき等にスプール１５を完全にロックして糸切れしやすくするためのロック機構等が配置されている。
【００３５】
回転伝達機構２０は、一端にハンドル組立体２が固定されたハンドル軸３０と、ハンドル軸３０の他端に回転制御機構２３を介して連結されたメインギア３１と、メインギア３１に噛み合うピニオンギア３２とを有している。
【００３６】
ハンドル軸３０は、スプール軸２５と平行に配置されており、一端側が機構装着板１６に回転自在に支持されている。メインギア３１は、ハンドル軸３０の一端側に回転制御機構２３を介して相対回転不能に連結することが可能である。このような構成では、クラッチ機構２１がオンされた状態では、ハンドル組立体２からのトルクがスプール１５に直接伝達される。
【００３７】
クラッチ機構２１は、スプール軸２５の外周部にスライド自在に装着された筒状のピニオンギア３２と、ピニオンギア３２の一部に配置された係合溝３２ａとスプール軸２５に配置されたピン３３とを有している。スプール軸２５に沿ってピニオンギア３２を摺動させて、係合溝３２ａをピン３３と係合すれば、スプール軸２５とピニオンギア３２との間で回転力が伝達される。この状態が連結状態（クラッチオン状態）である。係合溝３２ａとピン３３の係合を外せば、スプール軸２５とピニオンギア３２との間で回転力は伝達されない。この状態が遮断状態（クラッチオフ状態）である。クラッチオフ状態では、スプール１５は自由に回転する。ピニオンギア３２は、クラッチ操作機構２２により係合溝３２ａとピン３３とが係合する方向すなわちクラッチオン状態に付勢されている。
【００３８】
回転制御機構２３は、ハンドル軸３０を糸巻取方向にのみ回転させる（糸繰り出し方向の回転を禁止する）ローラ型のワンウェイクラッチ機構７０と、スプール１５の糸繰り出し方向の回転に対して設定した制動力を作用させるためのドラグ機構７２と、ハンドル軸３０を糸巻取方向にのみ回転させる爪式のラチェット機構７４とを有している。
【００３９】
なお、ハンドル軸３０の逆転（糸繰り出し方向の回転）を禁止するだけであれば、ラチェット機構７４のみを設けてワンウェイクラッチ機構７０を省いてもよい。しかし、ラチェット機構７４は、ラチェット爪がラチェットホイールに噛み合ったり外れたりする動作にある程度の時間がかかる。釣りの動作に要求される迅速で滑らかな逆転禁止動作を果たすには、前記のようなローラ型のワンウェイクラッチ機構７０が好ましく、ワンウェイクラッチ機構７０では負担できないような過大な力をラチェット機構７４で負担することが有効である。クラッチ操作機構２２は、図３に示すように、リール本体１の第２カバー１４に実線で示した連結姿勢と２点鎖線で示した遮断姿勢との間で揺動自在に装着されたクラッチレバー４０を備えている。
【００４０】
次に、釣用リールの使用時におけるリールの動作について説明する。
【００４１】
釣り糸を繰り出す時には、クラッチレバー４０によりクラッチ機構２１をクラッチオフ状態にする。これによりスプール１５が自由回転状態になり、ジグ（仕掛け）の自重によりスプール１５が糸繰り出し方向に回転し、釣り糸がスプール１５から繰り出される。ジグが海底に到達するとハンドル組立体２を糸巻取方向に回転させてバーチカルジギングを開始する。ハンドル組立体２を糸巻取方向に回転させると図示しないクラッチリターン機構によりクラッチオン状態になる。
【００４２】
バーチカルジギングを行うときには、たとえば、左の脇に釣り竿ＲＤの図示しない後端部を挟み、リール本体１の後部に固定されたサムレスト１７に左手の親指を置き、残りの指で釣り竿を掴んでリールと釣り竿ＲＤとを保持し、左手で釣り竿ＲＤをしゃくりつつ右手でハンドル組立体２のハンドル把手７をつまみ、高速でハンドル軸３０を回す動作を繰り返す。
【００４３】
ハンドル組立体２を糸巻取方向に回転させると、ハンドル組立体２の回転がハンドル軸３０からワンウェイクラッチ機構７０、ドラグ機構７２を介してメインギア３１にそのまま伝達される。このときクラッチ機構２１はオン状態のため、メインギア３１の回転はピニオンギア３２からスプール１５に伝達されて、釣り糸が巻き上げられる。このとき、ワンウェイクラッチ機構７０及びラチェット機構７４では、回転が糸巻取方向であるので回転を許容する。
【００４４】
ここでは、ハンドル把手７の把手部分を上記形状に形成したので、掌に接触するハンドル把手７の外側面が握った時の掌に沿うような形状になりハンドル把手７を軽い力で握っても力を入れて高速回転させることができ、高速回転を長時間繰り返しても疲れにくい。しかも、ハンドル把手７の回転平面が釣り竿ＲＤに近づくようにクランクアーム６を構成しかつ第２軸Ｙと中心位置Ｆとの距離を１００ｍｍ以下にしたので、ハンドル把手７を回しているときに釣り竿ＲＤを回すトルクを抑制している。このため、巻き上げ時に力が逃げにくくなり、巻き上げ効率が低下しにくい。
【００４５】
特に、レベルワインド機構を有さない両軸受リールでは、釣り人自身が指で釣り糸を軸方向に案内しながら釣り糸をスプールに巻き上げなければならない。このとき、中型以上の両軸受リールでは、パーミングによりリールを釣り竿ＲＤとともに保持することができないので、細い釣り竿だけを握って釣り糸を指で案内しなければならず、釣り竿を回そうとする力に対して安定が悪い。このため、ハンドル把手７の回転平面と釣り竿ＲＤとを近づけて釣り竿を回りにくくすることで、ハンドルの巻き上げ効率の低下をより抑えることができる。さらに、釣り竿ＲＤがスプール１５の糸巻取部の中心位置Ｆに配置されるので、レベルワインド機構を設けなくてもスプール１５に釣り糸を均一に巻き付けやすい。
【００４６】
魚の引きなどで釣り糸が繰り出される際には、スプール１５の回転がメインギア３１に伝達され、ドラグ機構７２を介してハンドル軸３０およびワンウェイクラッチ機構７０に伝わる。ワンウェイクラッチ機構７０ではハンドル軸３０の逆転が禁止される。魚の引きが弱ければ、スプール１５は回転せず釣糸が引き出されることもない。そして、魚の引きが強くなりスプール１５の回転力が大きくなると、伝達される回転力がドラグ機構７２の設定回転抵抗力を超える。すると、ドラグ機構７２で滑りが生じるので、メインギア３１を含むスプール１５側は回転を始める。このとき、スプール１５には常にドラグ機構７２から一定の抵抗力すなわちドラグ力が作用する。
【００４７】
〔他の実施形態〕
（ａ）  前記実施形態では、両軸受リールを例に説明したが、本発明は両軸受リールのほかにスピニングリールや片軸受リール等の全ての釣り用リールに適用できる。
【００４８】
（ｂ）  キャップ６０で開口を塞いで内部への異物の侵入を防止したが、キャップ６０に軸受への給油用や空気抜き用の小さな丸孔を開けてもよい。
【００４９】
（ｃ）  前記実施形態では、支持部と把手部とが一体で構成されていたが、支持部５７を把手部５８とは別の円筒形状の部材で構成してもよい。また、クランクアーム６は２カ所で折れ曲がらずにストレートな形状でもよい。
【００５０】
【発明の効果】
本発明によれば、外側面が３次元曲面で構成されたハンドル把手の開口が外側面と実質的に一致する３次元曲面形状の露出面を有する蓋部材で覆われている。このため、ハンドル把手を掌で握ったときに蓋部材との間に隙間が小さくなり、ハンドル把手を握ったときに違和感が生じにくくなる。
【図面の簡単な説明】
【図１】  本発明の一実施形態を採用した両軸受リールの斜視図。
【図２】  その断面図。
【図３】  その側面図。
【図４】  ハンドル把手の断面拡大図。
【図５】  ハンドル把手の側面図。
【符号の説明】
１  リール本体
２  ハンドル組立体
４  竿取付部
６  クランクアーム
７  ハンドル把手
８  回転支持部
３０  ハンドル軸
６０  キャップ
【図１】
0003884171.tif 000002
【図２】
0003884171.tif 000003
【図３】
0003884171.tif 000004
【図４】
0003884171.tif 000005
【図５】
0003884171.tif 000006